(57)【要約】  本発明は、内部に貯蔵材料（２８）を貯蔵することができ、特に水素を貯留及び放出することができるハウジング（１２）を有する水素貯蔵器に関する。本発明によれば、少なくとも１つのユニット（２４）が計画され、容器（３０）が、貯蔵材料（２８）を保持する多孔質体（２６）を少なくとも部分的に取り囲む。また、本発明は、水素貯蔵器を充填するための方法に関する。
2009535570.tif 000002
【特許請求の範囲】
【請求項１】
内部に貯蔵材料（２８）が配置され、内部に水素を貯蔵することができ、水素を吸収及び放出することができるハウジング（１２）を有する水素貯蔵器であって、
少なくとも１つのユニット（２４）が提供され、前記ユニット（２４）内で、多孔質体（２６）が、内部に前記貯蔵材料（２８）が含まれる容器（３０）を少なくとも一部で取り囲むことを特徴とする水素貯蔵器。
【請求項２】
前記容器（３０）が、カップ形状の多孔質体（２６）内に埋め込まれることを特徴とする請求項１に記載の水素貯蔵器。
【請求項３】
複数のユニット（２４）が、少なくとも１つの貯蔵装置軸（３２）に沿って、相互に隣接して配列されることを特徴とする請求項１又は２に記載の水素貯蔵器。
【請求項４】
前記ユニット（２４）が、１つのユニット（２４）の前記容器（３０）の蓋（３０ｂ）が積層方向（３２）で次のユニット（２４）の多孔質体（２６）の底部（２６ｂ）に当接するように配列されることを特徴とする請求項３に記載の水素貯蔵器。
【請求項５】
前記多孔質体（２６）が、前記ハウジング（１２）の入口（１４）と出口（１６）との間で水素用の主要流路を形成することを特徴とする請求項１〜４のいずれか一項に記載の水素貯蔵器。
【請求項６】
前記多孔質体（２６）が、金属発泡体を備えることを特徴とする請求項１〜５のいずれか一項に記載の水素貯蔵器。
【請求項７】
前記容器（３０）が、ガス透過性焼結金属からなることを特徴とする請求項１〜６のいずれか一項に記載の水素貯蔵器。
【請求項８】
前記容器（３０）が、ガス透過性プラスチックからなることを特徴とする請求項１〜６のいずれか一項に記載の水素貯蔵器。
【請求項９】
温度制御剤ライン（３４）が、前記ハウジング（１２）の内部（２２）に構成され、前記ラインが、車両冷却システムに接続されることを特徴とする請求項１〜８のいずれか一項に記載の水素貯蔵器。
【請求項１０】
水素を均等に分散するため及び／又は回収するための手段（３６、３８）が、入口端及び／又は出口端で前記ハウジング（１２）内に構成されることを特徴とする請求項１〜９のいずれか一項に記載の水素貯蔵器。
【請求項１１】
前記ハウジング（１２）が、金属からなることを特徴とする請求項１〜１０のいずれか一項に記載の水素貯蔵器。
【請求項１２】
前記ハウジング（１２）が、炭素繊維材料内に包まれることを特徴とする請求項１〜１１のいずれか一項に記載の水素貯蔵器。
【請求項１３】
内部に貯蔵材料（２８）が配置され、内部に水素を貯蔵することができ、水素を意図的に吸収及び放出することができるハウジング（１２）を有する請求項１〜１２のいずれか一項に記載の水素貯蔵器（１０）を充填するための方法であって、
水素流が、入口端から前記ハウジング（１２）内に供給され、前記水素流が、水素源として、且つ前記貯蔵材料（２８）用のクーラントとして同時に働き、前記水素流が、前記水素貯蔵器（１０）に供給される前に、充填中に生成される廃熱を吸収するのに十分であり、且つ前記水素貯蔵器（１０）を所定のしきい値未満の温度にするのに十分な温度まで冷却されることを特徴とする方法。
【請求項１４】
水素が、流入法により前記水素貯蔵器（１０）に供給されることを特徴とする請求項１３に記載の方法。
【請求項１５】
前記水素流が、前記水素貯蔵器（１０）から出た後、外部で冷却されることを特徴とする請求項１３又は１４に記載の方法。
【発明の詳細な説明】
【技術分野】
【０００１】
本発明は、独立請求項の前段による水素貯蔵器及び水素貯蔵器を充填するための方法に関する。
【背景技術】
【０００２】
圧力タンク内で数百バールの過圧かつ気体状態で、又は特別な冷却タンク内で極低温で液体状態で水素を貯蔵することによって水素を貯蔵することが知られている。
【０００３】
さらに、水素が吸収され、固体の原子構造内に貯留され、温度が上昇するときに再び放出される固体貯蔵装置が知られている。これらの水素貯蔵器は高温も高圧も必要としないので、固体貯蔵装置は、比較的扱いが簡単である。したがって、そのような水素貯蔵器は、小型可動用途に適しており、また自動車での使用にも適している。しかし、これらの貯蔵材料は、室温で、それら自体の重量の約２％の水素しか吸収することができない。これは、例えば、約２ｋｇの水素を貯蔵するために約１００ｋｇの材料が必要とされることを意味する。
【０００４】
さらに、水素は通常、貯蔵材料の一部での吸熱反応によって放出されるので、そのような水素貯蔵器は、充填中の冷却、及び排出中の加熱を必要とする。
【０００５】
特許文献１が、金属ハロゲン化物の固体貯蔵装置用のクーラントとして水素ガスを使用することを開示する。特許文献２が、同様にクーラントとして水素を使用して冷却される多孔性貯蔵容器を開示する。水素吸収材料を備える水素貯蔵器であって、繊維補強ハウジングを有する水素貯蔵器が、特許文献３から知られている。
【０００６】
特許文献４が、粉状の水素吸収貯蔵材料用のキャリア・マトリックスとして働く開孔金属発泡体を備える固体水素貯蔵器を開示する。粉状材料は、キャリア・マトリックス内で分散される。よく分散された材料が水素貯蔵器から同伴されにくくするために、キャリア・マトリックスは、セグメントに細分化され、セグメントは隔壁で区切られ、隔壁が、それぞれのセグメント内部に貯蔵材料を貯留する。任意選択で冷却媒体又は加熱媒体を搬送することができるパイプが、キャリア・マトリックスを貫通し、充填中に水素貯蔵器を冷却する、又は排出中に水素貯蔵器を加熱する。
【０００７】
特許文献５が、固体貯蔵装置を充填するための方法であって、固体貯蔵装置を冷却するために水素が使用される方法を開示する。水素は、流入法によって固体貯蔵装置を通って流れる。いくらかの水素が、貯蔵材料によって吸収され、いくらかの水素が、プロセス中に生じる熱を放散する。温まった水素は、貯蔵リザーバに供給される。
【０００８】
【特許文献１】特開昭６０−０６０３９９号公報
【特許文献２】特開２００１−２０８２９６号公報
【特許文献３】独国特許出願公表第１０３９２２４０Ｔ５号明細書
【特許文献４】独国特許出願公表第６９７１４２３３Ｔ２号明細書
【特許文献５】米国特許第６３７８６０１Ｂ１号明細書
【発明の開示】
【発明が解決しようとする課題】
【０００９】
本発明の目的は、レイアウトを容易に変えることができ、車両での使用に特に適した、できるだけコンパクトな水素用の固体貯蔵装置を提供することである。さらに、水素貯蔵器を充填するための方法を示すことが意図される。
【課題を解決するための手段】
【００１０】
この目的は、本発明によれば、独立請求項の特徴によって実現される。
【００１１】
本発明の好適な構成及びさらなる発展は、さらなる請求項によって明らかにされる。
【００１２】
本発明による水素貯蔵器は、固体貯蔵装置の形態を取り、内部に貯蔵材料が配置され、内部に水素を意図的に貯蔵することができ、水素を意図的に放出することができるハウジングを備える。ハウジング内に少なくとも１つのユニットが提供され、ユニット内で、多孔質体が、内部に貯蔵材料が局所集中的に含まれる容器を少なくとも一部で取り囲む。
【００１３】
このようにすると、有利なことに、多孔質体が複数の機能をもつ。一方で、多孔質体は、貯蔵材料で充填された容器用の機械的な支持体として働き、他方で、多孔質体は、貯蔵材料からハウジングの外へ、及び／又はハウジング入口から貯蔵材料への水素用の流路として働く。さらに、多孔質体は熱伝導体として働き、充填中、発熱吸着又は吸収によって貯蔵材料が加熱される場合に貯蔵材料を冷却し、排出中、吸熱脱着に関わる反応熱を提供して貯蔵材料からの水素の意図的な放出を実現するために貯蔵材料を加熱する。任意の所望の貯蔵材料が使用されうる。水素貯蔵器は、わずか数分以内で充填することができる。貯蔵材料を二重に包むことで、安価で安全なタンク構成を得られる。水素タンクを充填するための充填ステーション・インフラは、数百バールで動作する高圧貯蔵装置及び従来の固体タンクに比べてかなり簡略化することができる。使用条件下で、蒸発冷却を伴う燃料電池システムとの連結が特に好ましい。
【００１４】
適した好ましい貯蔵材料は、原則として、吸着又は吸収作用を有する材料、例えば炭素構造、固有多孔率を有する有機金属「フレームワーク」材料、酸化物、例えば酸化チタン又は酸化珪素などである。水素の化学結合を有する材料、例えば、例えばアラネート、ヒドリドボレート、さらにはアミド／水素化物系に基づく修飾錯体水素化物、マグネシウム及びその合金、修飾アルミニウム水素化物、アミノボレン、金属水素化物、例えば修飾ＡＢ２、ＡＢ５合金などが好ましい。２０〜３０ｋＪ／（ｍｏｌ  Ｈ２）の範囲内の吸熱水素放出エンタルピーを示す材料が特に好ましい。また、カーボン・ナノチューブ又は有機ポリマーなどの有機材料も使用可能である。貯蔵材料は、ペレット、粉末、粒状生成物などの形態で使用されることがある。しかし、貯蔵材料は、動作条件下で、自然にペレット化や造粒などを生じることもある。固体貯蔵装置又は容器の充填、及び貯蔵装置の準備が整うまでの貯蔵材料の他の取扱いは、好ましくは不活性ガス又は水素雰囲気の下で行われて、空気との接触による貯蔵材料の劣化を回避する。また、基本的に、水素貯蔵器は、水素用の従来の圧力タンクと組み合わされることがある。
【００１５】
容器は、好ましくはカップ形状の多孔質体内に埋め込むことができるので、貯蔵材料の安定した収容が実現される。これは、一般に粉状の貯蔵材料が同伴されて水素貯蔵器から出るのを確実に防止することができるようにする。貯蔵材料は、容器内に安全にカプセル化され、多孔質体によって貯留される。粉状貯蔵材料が金属発泡体マトリックス内、又はアルミニウム薄層間によく分散されて貯留される公知の構成に比べて、製造がさらに簡略化される。容器は、充填され、閉じられ、多孔質体内に埋め込まれる。水素の装填中、貯蔵材料の膨張による、例えば水素の貯蔵による機械的な力は、容器によって及び／又は多孔質体によって吸収することができる。貯蔵材料は、水素貯蔵中に最大２０％膨張することがある。カップ形状の容器をその蓋で閉じることは、好ましくは、締まり嵌めによって行われる。これに関して、蓋の内径は、カップの外径よりもいくぶん小さく形成される。蓋が加熱され、膨張されて加熱された状態で、より冷たいカップの上に位置される。冷却中、蓋が縮み、それにより蓋がカップに安定して接合される。カップと蓋とは、閉じられたときに粒子密封状態である。
【００１６】
有利には、少なくとも１つの貯蔵装置軸に、複数のユニットを相互に隣接して配列させることができる。貯蔵装置のサイズは、ユニットを積層することによって、及び／又はユニットを並べて配列することによって、設計段階で容易に変えることができる。ユニットは、モジュラ様式で、幅方向及び／又は高さ方向で互いに隣接して位置させることができる。好ましいユニットを有するモジュラ構成が、様々な目的に応じた水素貯蔵器の設計を容易にする。
【００１７】
有利には、ユニットは、１つのユニットの容器の蓋が積層方向で次のユニットの多孔質体の底部に当接するように配列することができる。流れ制御を改善するために、互い違いの配列も可能である。このようにすると、容器が、全周で多孔質体と接触し、それにより固定保持され、また、それと同時に熱伝導多孔質体と密接な熱接触で保持される。ハウジングは、好ましくは、そのようなユニットで完全に埋め尽くされ、したがって振動又は衝撃への曝露に対して非常に堅牢である。さらに、貯蔵媒体と関連付けられる触媒、好ましくは、アラネート、及び／又はアミド／水素化物、及び／又はヒドリドボレートに基づく貯蔵材料中のチタンベース触媒の過熱によって引き起こされる劣化を回避することができる。
【００１８】
好ましくは、多孔質体は、ハウジングの入口と出口との間で水素用の主要流路を形成する。最も単純な場合には、ハウジング内で別個の水素ラインを提供しなくて済む可能性がある。
【００１９】
より好ましくは、多孔質体は、好ましくはアルミニウムからなる金属発泡体からなる。容器は、好ましくはガス透過性焼結金属からなる。また、容器は、ガス透過性プラスチックからなっていてもよい。このプラスチックは、好都合なことに、適切な水素移動を可能にするのに十分に多孔性であり、同時に、粉状貯蔵材料を貯留するのに十分に密である。
【００２０】
多孔質体中の空の体積の利用を改善するため、及び反応速度を上げるために、圧力は、水素貯蔵器のハウジングの選択される壁厚に応じて、充填中に高くなる、例えば５０バール以上になるように選択されることがある。水素ガスは、貯蔵材料中の水素に加えて、多孔質体中に圧力下で貯蔵されることがある。
【００２１】
好ましい構成では、温度制御剤ラインが、ハウジング内部に構成されることがあり、このラインは、特に車両冷却システムと接続するように設計されることがある。このようにすると、水素貯蔵器の充填及び／又は排出中の意図的な温度制御を改善することができる。
【００２２】
好都合には、水素を均等に分散するため及び／又は回収するための手段が、入口端及び／又は出口端でハウジング内に構成されることがある。
【００２３】
ハウジングは、好ましくは金属、例えばステンレス鋼からなる。別法として、ハウジングは、炭素繊維材料からなっていてもよい。この構成により、軽量であり任意選択で自由に変形可能な貯蔵装置構造を実現することができる。これは、利用可能な設置空間をできるだけ上手く使用することが望まれる車両分野での使用の場合に特に好ましく、利用可能な設置空間に水素貯蔵器を適合させることができる。さらに、固体貯蔵装置の内部ケーシング（ライナ）が、拡散障壁として提供されることがあり、金属、例えばステンレス鋼又はアルミニウム、或いはプラスチックからなることがあり、機械的な安定のために炭素繊維材料内に包まれることがある。
【００２４】
特に有利には、本発明による水素貯蔵器は充填に適しており、水素流が入口端からハウジング内に供給され、この水素流は、同時に水素源及びクーラントとして作用する。これは、貯蔵材料が多孔質体中に局所集中的に埋め込まれる水素貯蔵器の場合に非常に好ましく機能する。多孔質体は、水素貯蔵器内外への水素用の流路を構成する。水素貯蔵器の充填は、非常に迅速に行われることがあり、好ましくは流入法を使用して行われる。水素が貯蔵装置内に流れ、しかし再び流出せず、充填に長時間かかり、伝熱が重要である既知の充填プロセスに比べて、充填時間が大幅に短縮される。充填の際の熱管理の改善により、充填プロセスの時間は、数時間もの充填時間は受け入れられない自動車分野での使用に関して特に望ましい程度まで短縮することができる。
【００２５】
水素流は、水素貯蔵器に供給される前に、充填中に生成された廃熱を吸収するのに十分であり、且つ水素貯蔵器を所定のしきい値未満の温度にするのに十分な温度まで冷却される。例えば水素貯蔵器が、４ｋｇの水素の貯蔵容量を有する場合、前記貯蔵装置を充填するために約４０〜６０ＭＪの反応熱が伝達されなければならない。これは、導入される水素の非常に高い質量流量によって実現されることがあり、これはエネルギーの面では、高い体積流量が非常に大きな圧力降下をもたらすので好ましくない。より有利なのは、大きな温度差の使用、すなわち事前冷却された水素の使用である。
【００２６】
従来、水素充填ステーションでは、事前冷却された、さらには液体の水素を自由に利用することができ、冷却に関して追加の費用は必要とされない。別個のクーラント、例えば水素貯蔵器を冷却するための冷却水の供給をなくすことができるので、充填インフラを簡略化することができる。それに従って、関連の機器、例えばポンプやラインなどもなくなる。好ましくは、水素流は、少なくとも３０バール、好ましくは５０バール、又は実際にはより高く、３５０バールまでの圧力で供給される。本発明による水素貯蔵器は、全体的に比較的低い圧力で動作するので、水素は、任意の特別な圧縮器段階を伴わずに、任意選択で電解槽、改質装置、固体水素貯蔵器、又はガス・パイプラインから直接得ることができる。オーバーフロー設備が存在する場合、これは、対応する圧力減少値で動作されることがある。
【００２７】
有利には、水素流は、多孔質体を通って流れ、局所集中された貯蔵材料を充填し、同時に、熱を放散するように貯蔵材料の周りを流れる。大量の水素が、このようにして貯蔵材料の粒子の周りを流れ、この水素のうち小さな割合のみが反応して吸収される。水素の未反応部分は、反応熱を吸収し、この熱をシステムの外に伝達する。その後、温まった水素は、水素貯蔵器の外部で冷却することができる。したがって、貯蔵装置の充填に関して、労力及び時間のかかる水素貯蔵器への冷却ラインの接続をなくすことが可能である。水素貯蔵器を充填する水素供給源は、好ましくは圧縮水素ガス（ｃＨ２−圧縮Ｈ２）のタンクである。
【００２８】
温まった水素流は、水素貯蔵器から出ると、外部で再び冷却される。これは、水素充填ステーションで、集中化されて行われることがある。
【００２９】
本発明のさらなる利点及び詳細を、図面に記載される好ましい例示的実施形態を参照しながら、本発明をこの例示的実施形態に限定することなく、以下でより詳細に説明する。
【発明を実施するための最良の形態】
【００３０】
図中、同じ機能を有する要素は、同じ参照符号を付されている。
【００３１】
本発明による水素貯蔵器１０の２つの構成が、図１ａ及び１ｂに示されている。水素貯蔵器１０は、一種の貯蔵パイプとして構成される。
【００３２】
水素貯蔵器１０は、ハウジング１２を備え、ハウジング１２内で、複数のユニット２４が、貯蔵装置軸３２に沿って、一列に互いに隣接して配列され、ハウジング１２の一端１８にある入口１４と他端２０にある出口１６との間でハウジング１２を埋め尽くす。貯蔵装置軸３２は、ユニット２４の積層方向に対応する。
【００３３】
さらに図２ａ及び２ｂでより詳細に説明されるように、各ユニット２４は、凹部２６ａと、好ましくは閉じられた底部２６ｂとを有するカップ形状の多孔質体２６からなる。蓋３０ｂで閉じることができるカップ形状本体３０ｃを備え、好ましくはガス透過性焼結金属からなる容器３０が、凹部２６ａ内に挿入される。蓋３０ｂは、カップ形状本体３０ｃに接着結合、はんだ付け、又は溶接されてよく、或いは締まり嵌めによって本体３０ｃに接合されてもよい。容器３０の壁厚は、できるだけ小さいと好都合である。好ましい材料は、焼結ステンレス鋼であり、できるだけ大きな弾性及び良い熱伝導性が有利である。
【００３４】
容器３０の内部３０ａには、好ましくは圧密状態で、貯蔵材料２８、例えば粉状金属水素化物などが配置される。貯蔵材料２８中に水素を貯蔵することができ、熱の作用によって意図的に吸収及び放出することができる。容器３０は、好ましくは、粒径＞０．５μｍを有する粉状貯蔵材料２８の粒子を貯留し、不連続の両方向矢印によって示されるようにガス及び熱が両方向に通ることができるようにする。
【００３５】
多孔質体２６は、好ましくは５〜９０ｐｐｉ（１インチ当たりの孔の数）の間の多孔率を有するアルミニウム発泡体からなることが好ましい。ユニット２４内の特定の多孔質体２６又は全ての多孔質体２６が、その容器３０、したがって貯蔵材料２８用の支持体となり、廃熱を外部に伝達し、又は貯蔵材料２８を冷却し、容器３０の外部で、ハウジング１２内部での水素用の流路となる。したがって、有利なことに、水素貯蔵器１０の内部２２で水素用の別個のラインが必要とされない。多孔質体２６が、ハウジング１２の入口１４と出口１６との間で水素用の主要流路を形成する。図１ａにおけるいくつかの小さな矢印が、ハウジング１２内部での流入又は通過する水素を示す。
【００３６】
ユニット２４は、各場合に、１つのユニット２４の容器３０の蓋３０ｂが、貯蔵装置軸３２の方向で次のユニット２４の多孔質体２６の底部２６ｂに当接するように配列される。また、ユニット２４は、互い違いに配列されてもよい。貯蔵装置のレイアウトによっては、ユニット２４は、貯蔵装置軸３２に垂直な方向で互いに並べて配列されてもよい。
【００３７】
図１ｂは、貯蔵装置軸３２の方向と、それに垂直な方向との両方で配列された複数のユニット２４を有するそのような構成を示す。
【００３８】
例えば、材料自体の重量の約２％の水素を吸収することができる貯蔵材料中に４ｋｇの水素を貯蔵するためには、約２００ｋｇの貯蔵材料２８が、適当な数の容器３０にわたって分配される必要がある。モジュラ構造により、所望の貯蔵体積が得られるまで、設計に従って適当な数のユニット２４を適切に組み立てることができる。
【００３９】
貯蔵パイプの形態を取る水素貯蔵器１０の設計により、ハウジング１２の内部２２に、例えばクーラント及び／又は加熱剤用の温度制御剤ライン３４が構成されることがあり、そのラインを用いて、充填及び排出中に水素吸収又は水素放出を意図的に制御することができ（図１ｂ）、したがって、大きな貯蔵体積で、水素貯蔵器１０をできるだけ均一に利用できる。温度制御剤ライン３４は、燃料電池システム及び／又は充填ステーションに接続することができることもある。
【００４０】
同様に、水素の均等な分散のため及び／又は水素を回収するための手段３６、３８が、入口端及び／又は出口端でハウジング１２内に構成されることがあり、それにより、ユニット２４を通るできるだけ均一な流れ、したがって効率的であり均質な温度制御を実現する。このために、多孔質体２６に対応する多孔質材料４０内にこれらの手段３６及び３８が埋め込まれることが好都合であり、均等な分散及び温度分布の改善を実現する。図１ａ及び１ｂに例示され、貯蔵パイプの形態を取るそのような水素貯蔵器１０は、有利には、貯蔵装置ハウジング内部で複数の水素貯蔵器１０を組み合わせ、流れに関して、且つ任意選択で、取り得る温度制御剤ライン３４に関して貯蔵パイプを好都合に相互接続することによって、大きな体積の貯蔵装置に組み立てることができる。
【００４１】
図３は、車両で使用されることがある好ましい燃料電池システム５０の詳細の概略図であり、好ましい水素貯蔵器１０を含み、充填ステーション７０を水素で充填されている。そのような燃料電池システム５０の機能及び構造は一般に知られており、したがってここでより詳細に説明する必要はない。
【００４２】
水素貯蔵器１０は、充填ステーションに属する水素ラインを介して貯蔵タンク７２に接続される。典型的には、貯蔵タンク７２は、例えば５０バール以上で事前冷却されて圧縮された水素ｃＨ２で充填される。この水素は、搬送手段７４の補助によって水素貯蔵器１０に送られ、ジェット・ポンプ及び／又は送風機が有利な搬送手段７４を構成する。
【００４３】
事前冷却された水素は、低温で水素貯蔵器１０の入口１４に入り、そこで、多孔質体２６と、貯蔵材料２８を有する容器３０とを備えるユニット２４を通って流れる（図１ａ、１ｂ）。水素の入口温度は、好ましくは、使用される貯蔵材料に適合される。貯蔵材料２８の装填中、反応熱が放出され、低温水素ガスによって、貯蔵材料２８から、熱をよく伝導する多孔質体２６内に直接送られて除去される。温まった水素ガスは、水素貯蔵器の出口１６から出て、貯蔵タンク７２内に戻される。
【００４４】
水素貯蔵器１０の充填は、フロースルー法によって進み、この方法では、入口端からハウジング１２内に供給される水素流が、水素源として、且つクーラントとして同時に働く。出口端から放出される水素は、水素貯蔵器１０の外部で再び冷却される。
【００４５】
搬送手段７４は、好ましくは、再循環送風機又はジェット・ポンプの形態を取り、好ましくは、５０バール以上の吐出圧力で動作する。ジェット・ポンプの場合、有利には、そこで注入される量が、発熱吸収によって消費される水素の量に正確に対応し、したがって一定量が循環される。
【図面の簡単な説明】
【００４６】
【図１ａ】本発明による水素貯蔵器の断面図を示す。
【図１ｂ】より大きい貯蔵体積を有する水素貯蔵器の代替構成の断面図を示す。
【図２ａ】貯蔵材料を有する好ましい容器を示す。
【図２ｂ】容器を収容するための好ましい多孔質体を示す。
【図３】好ましい水素貯蔵器の充填を示す図である。
【図１ａ】
2009535570.tif 000003
【図１ｂ】
2009535570.tif 000004
【図２ａ】
2009535570.tif 000005
【図２ｂ】
2009535570.tif 000006
【図３】
2009535570.tif 000007
【国際調査報告】
2009535570.tif 000008
2009535570.tif 000009
2009535570.tif 000010
2009535570.tif 000011
2009535570.tif 000012
2009535570.tif 000013
2009535570.tif 000014
2009535570.tif 000015
2009535570.tif 000016
2009535570.tif 000017